(57)【要約】【課題】ボトルキャップに容易に穴を開けることができ、ボトル内に切り屑が入ることもないボトルキャップ穴開け装置を提供する。【解決手段】ボトルキャップ１０の天板部１１を下にして載置する載置部２１を有する下側部材２０と、載置部２１に設けられたダイ部２２と、下側部材２０に案内されて下側部材２０に対して上下動する上側部材３０と、上側部材３０の内部に固定され、上側部材３０とともに上下動し、下動時にダイ部２２を貫通するパンチ部４０と、平面視でパンチ部４０の回りに位置し、正面視でパンチ部下端４１よりも下方に位置してパンチ部先端４１の正面視での露出を防止する露出防止部３１とを備えている。【選択図】図２
2019018296.tif 000002
【特許請求の範囲】
【請求項１】
ボトルキャップ（１０）の天板部（１１）を下にして載置する載置部（２１）を有する下側部材（２０）と、
前記載置部（２１）に設けられたダイ部（２２）と、
前記下側部材（２０）に案内されて下側部材（２０）に対して上下動する上側部材（３０）と、
この上側部材（３０）の内部に固定され、上側部材（３０）とともに上下動し、下動時に前記ダイ部（２２）を貫通するパンチ部（４０）と、
平面視でパンチ部（４０）の回りに位置し、正面視でパンチ部下端（４１）よりも下方に位置してパンチ部先端（４１）の正面視での露出を防止する露出防止部（３１）と、
を備えていることを特徴とするボトルキャップ穴開け装置。
【請求項２】
請求項１において、
前記下側部材（２０）は、周壁（２３）の一部にボトルキャップ出し入れ用の開口（２４）を有する筒状体であり、
前記上側部材（３０）は、前記下側部材（２０）に対して上下動可能に嵌まり合う下方が開放された筒状体であり、この筒状体の下部が前記露出防止部（３１）を形成していることを特徴とするボトルキャップ穴開け装置。
【請求項３】
請求項１または２において、
前記下側部材（２０）には、載置部（２１）に載置されるボトルキャップ（１０）の位置を決める位置決め部（２５）が設けられていることを特徴とするボトルキャップ穴開け装置。
【発明の詳細な説明】
【技術分野】
【０００１】
本発明は、ボトルキャップ穴開け装置に関するものである。主として、ペットボトルのキャップに穴を開けるための装置に関するものである。
【背景技術】
【０００２】
従来、例えば特許文献１に見られるようなボトルキャップ穴開け装置が知られている。
このボトルキャップ穴開け装置は、同文献図５に示すように、装置をペットボトルのキャップに被せ、回転させることで、刃２−２によってキャップの天板部に穴を開けることができるようになっている。同文献図６に示すように、開けた穴に好みのストローを通し、飲料を飲むことができる。
【０００３】
しかし、このボトルキャップ穴開け装置では、キャップに被せ回転させて穴を開けるという操作が容易ではない。また、ボトルにキャップを装着した状態で穴を開けるため、切り屑がボトル内に入ってしまうおそれがある。
【０００４】
また、従来、例えば特許文献２に見られるような穴開けパンチも知られている。
しかしこの穴開けパンチは、紙に穴を開けるためのものであり、ボトルキャップに穴を開けることはできない。
【先行技術文献】
【特許文献】
【０００５】
【特許文献１】実用新案登録第３１９５５１７号公報
【特許文献２】特開2013-99850号公報
【発明の概要】
【発明が解決しようとする課題】
【０００６】
本発明が解決しようとする課題は、ボトルキャップに容易に穴を開けることができ、ボトル内に切り屑が入ることもないボトルキャップ穴開け装置を提供することである。
【課題を解決するための手段】
【０００７】
上記課題を解決するために本発明のボトルキャップ穴開け装置は、
ボトルキャップの天板部を下にして載置する載置部を有する下側部材と、
前記載置部に設けられたダイ部と、
前記下側部材に案内されて下側部材に対して上下動する上側部材と、
この上側部材の内部に固定され、上側部材とともに上下動し、下動時に前記ダイ部を貫通するパンチ部と、
平面視でパンチ部の回りに位置し、正面視でパンチ部下端よりも下方に位置してパンチ部先端の正面視での露出を防止する露出防止部と、
を備えていることを特徴とする。
【０００８】
このボトルキャップ穴開け装置によれば、次のようにしてボトルキャップに穴を開けることができる。
（１）
ボトルからボトルキャップを取り外し、そのボトルキャップを、天板部を下にして下側部材の載置部に載置する。
（２）
下側部材に向けて上側部材を下動させる。
すると、パンチ部も下動し、ダイ部を貫通することによって、ボトルキャップの天板部に穴が開けられる。
このように、このボトルキャップ穴開け装置によれば、ボトルキャップを載置部に載置し、上側部材を押し下げるだけでボトルキャップに容易に穴を開けることができる。
また、ボトルキャップをボトルから取り外した状態で穴を開けるので、ボトル内に切り屑が入ることもない。
しかも、平面視でパンチ部の回りに位置し、正面視でパンチ部下端よりも下方に位置してパンチ部先端の正面視での露出を防止する露出防止部を備えているので、パンチ部先端に手指も触れにくくなる。
【０００９】
このボトルキャップ穴開け装置においては、
前記下側部材は、周壁の一部にボトルキャップ出し入れ用の開口を有する筒状体であり、
前記上側部材は、前記下側部材に対して上下動可能に嵌まり合う下方が開放された筒状体であり、この筒状体の下部が前記露出防止部を形成している構成とすることができる。
このように構成すると、上側部材と下側部材との相対移動を簡易な構造で実現できると同時に、露出防止部を良好に構成することができる。
【００１０】
このボトルキャップ穴開け装置においては、
前記下側部材には、載置部に載置されるボトルキャップの位置を決める位置決め部が設けられている構成とすることができる。
このように構成すると、ボトルキャップの天板部の中央に穴を開けやすくなる。
【図面の簡単な説明】
【００１１】
【図１】本発明に係るボトルキャップ穴開け装置の実施の形態を示す図で、（ａ）は平面図、（ｂ）は正面図。
【図２】（ａ）は図１（ｂ）における２−２断面図、（ｂ）は作動説明図。
【図３】ボトルの一例を示す断面図。
【図４】穴あきキャップの使用状態を示す断面図。
【発明を実施するための形態】
【００１２】
以下、本発明に係るボトルキャップ穴開け装置の実施の形態について図面を参照して説明する。なお、各図において、同一部分ないし相当する部分には、同一の符号を付してある。
【００１３】
図１，図２に示すように、この実施の形態のボトルキャップ穴開け装置１は、
ボトルキャップ１０の天板部１１を下にして載置する載置部２１を有する下側部材２０と、
載置部２１に設けられたダイ部２２と、
下側部材２０に案内されて下側部材２０に対して上下動する上側部材３０と、
この上側部材３０の内部に固定され、上側部材３０とともに上下動し、下動時にダイ部２２を貫通するパンチ部４０と、
平面視（図１（ａ））でパンチ部４０の回りに位置し、正面視（図１（ｂ））でパンチ部４０の下端４１（図２（ａ）参照）よりも下方に位置してパンチ部４０の先端（下端）４１の正面視での露出を防止する露出防止部３１と、
を備えている。
【００１４】
このボトルキャップ穴開け装置１によれば、次のようにしてボトルキャップ１０に穴１２を開けることができる。
【００１５】
（１）
例えば図３に示すようにボトル２からボトルキャップ１０を取り外し、そのボトルキャップ１０を、図１（ａ）および図２（ａ）に示すように、天板部１１を下にして下側部材２０の載置部２１に載置する。
【００１６】
（２）
図２（ａ）から（ｂ）に示すように、下側部材２０に向けて上側部材３０を下動させる。例えば手の平で矢印Ｆで示すように押し下げる。
すると、パンチ部４０も下動し、パンチ部４０の先端４１がダイ部２２を貫通する。これによって、ボトルキャップ１０の天板部１１に穴１２（図４参照）が開けられる。
【００１７】
このように、このボトルキャップ穴開け装置１によれば、ボトルキャップ１０を載置部２１に載置し、上側部材３０を押し下げるだけでボトルキャップ１０に容易に穴１２を開けることができる。
【００１８】
また、ボトルキャップ１０をボトル２から取り外した状態で穴１２を開けるので、ボトル２内に切り屑が入ることもない。
【００１９】
しかも、平面視でパンチ部４０の回りに位置し、正面視でパンチ部４０の下端４１よりも下方に位置してパンチ部４０先端（下端）４１の正面視での露出を防止する露出防止部３１を備えているので、パンチ部４０の先端４１に手指も触れにくくなる。
【００２０】
なお、穴１２を開けたキャップ１０は例えば図４に示すようにボトル２に取り付け、穴１２に好みのストローを通して飲料を飲むことができる。
【００２１】
下側部材２０は、周壁２３の一部にボトルキャップ出し入れ用の開口２４を有する筒状体であり、上側部材３０は、下側部材２０に対して上下動可能に嵌まり合う下方が開放（３２）された筒状体である。この筒状体（３０）の下部が前記露出防止部３１を形成している。
【００２２】
このように構成すると、上側部材３０と下側部材２０との相対移動を簡易な構造で実現できると同時に、露出防止部３１を良好かつ簡易に構成することができる。
【００２３】
下側部材２０には、載置部２１に載置されるボトルキャップ１０の位置を決める位置決め部２５が設けられている。
このように構成すると、ボトルキャップ１０の天板部１１の中央に穴１２を開けやすくなる。
【００２４】
下側部材２０は適宜の材料、例えば、金属や合成樹脂で構成することができる。ただし、少なくともダイ部２２は刃を構成できる材料（例えば金属）で構成する。
上側部材３０は適宜の材料、例えば、金属や合成樹脂で構成することができる。ただし、パンチ部４０の先端部分４１は刃を構成しているため、少なくともパンチ部４０の先端部分４１は刃を構成できる材料（例えば金属）で構成する。
【００２５】
上側部材３０の上下動を案内する案内手段は適宜の構成を採用し得る。
この実施の形態では、筒状体２０，３０同士の相対的なスライドによって上側部材３０が案内されることに加え、下側部材２０の天板部２８には、パンチ部４０を案内する筒状のガイドブロック２６が設けられている。
【００２６】
また、このガイドブロック２６は、上側部材３０を下動させた際、図２（ｂ）に示すように、上側部材３０の天板３６と当接して上側部材３０の下動位置を規制するストッパとしての役割を果たす。
【００２７】
この実施の形態では、下側部材２０と上側部材３０との間に圧縮ばね５０が設けられている。圧縮ばね５０は、下側部材２０と上側部材３０とを離間させる（上側部材３０を上動させる）ように作用するため、図２（ｂ）に示すように上側部材３０を押し下げた後、手を離すと、上側部材３０は、図２（ａ）に示すように、原位置に復帰する。なお、この圧縮ばね５０は設けなくてもよい。その場合、上側部材３０は、手動で戻すことができる。
【００２８】
図２に示すように、上側部材３０には、上動を規制する（下側部材２０からのすっぽ抜けを防止する）爪状のストッパ３７が設けられている。下側部材２０には、ストッパ３７のガイド溝２７が設けられている。これらストッパ３７とガイド溝２７は、例えば図２（ａ）に示すように、キャップ出し入れ用の開口２４を避けて複数箇所（図示のものは３箇所）に設けられている。このようなストッパ機構は必須ではないが設けることが望ましい。
【００２９】
ボトルキャップ１０の位置を決める位置決め部２５は適所に設けることができる。図１に示すように開口２４の右側に設けることもできるし、図示はしないが開口の左右両側に設けることもできる。また、図２（ａ）に示すように開口２４の奥側に設けることもできる。
図示の位置決め部２５は下側部材２０の天板部２８と一体に垂下片状に構成されているが、下側部材２０の周壁２３の内面に鈎状に形成しても良い。また、図２（ａ）に示すように、載置部２１の手前側に突起状に形成しても良い。
【００３０】
この実施の形態では、載置部２１の下方に、キャップ１０に穴１２を開けた際の切り屑１３を収納する切り屑収納部材６０が設けられている。この切り屑収納部材６０は有底筒状部材であり、適宜の結合手段（例えばネジ結合、嵌合等）によって、下側部材２０の底部に着脱可能に結合される。
【００３１】
以上、本発明の実施の形態について説明したが、本発明は上記の実施の形態に限定されるものではなく、本発明の要旨の範囲内において適宜変形実施可能である。
例えば、図１に仮想線（二点鎖線（４３））で示すように、パンチ部４０および上側部材３０の天板３６に貫通孔４３を設け、パンチ部先端４１に切り屑が付着した場合には、天板３６側から針金状のピン（図示せず）を差し込んで、切り屑を押し出すことができるようにすることもできる。
なお、キャップ１０の穴１２はテープやシールで塞ぐこともできる。また、このボトルキャップ穴開け装置は、ペットボトルの工作（例えばキャップ１０に穴１２を開けてボトル本体とで風車を作る）にも利用できる。
【符号の説明】
【００３２】
１：    ボトルキャップ穴開け装置
１０：    ボトルキャップ
１１：    天板部
１２：    穴
２０：    下側部材
２１：    載置部
２２：    ダイ部
２３：    周壁
２４：    開口
２５：    位置決め部
３０：    上側部材
３１：    露出防止部
４０：    パンチ部
４１：    下端
【図１】
2019018296.tif 000003
【図２】
2019018296.tif 000004
【図３】
2019018296.tif 000005
【図４】
2019018296.tif 000006
【手続補正書】
【提出日】平成30年9月21日(2018.9.21)
【手続補正１】
【補正対象書類名】特許請求の範囲
【補正対象項目名】全文
【補正方法】変更
【補正の内容】
【特許請求の範囲】
【請求項１】
ボトルキャップ（１０）の天板部（１１）を下にして載置する載置部（２１）を有する下側部材（２０）と、
前記載置部（２１）に設けられたダイ部（２２）と、
前記下側部材（２０）に案内されて下側部材（２０）に対して上下動する上側部材（３０）と、
この上側部材（３０）の内部に固定され、上側部材（３０）とともに上下動し、下動時に前記ダイ部（２２）を貫通するパンチ部（４０）と、
このパンチ部（４０）とともに上下動する前記上側部材（３０）において、平面視でパンチ部（４０）の回りに位置し、正面視でパンチ部下端（４１）よりも下方に位置してパンチ部先端（４１）の正面視での露出を防止する露出防止部（３１）と、
を備え、
前記下側部材（２０）は、周壁（２３）の一部にボトルキャップ出し入れ用の開口（２４）を有する筒状体であり、
前記上側部材（３０）は、前記下側部材（２０）に対して上下動可能に嵌まり合う下方が開放された筒状体であり、この筒状体の下部が前記露出防止部（３１）を形成していることを特徴とするボトルキャップ穴開け装置。
【請求項２】
請求項１において、
前記下側部材（２０）には、載置部（２１）に載置されるボトルキャップ（１０）の位置を決める位置決め部（２５）が設けられていることを特徴とするボトルキャップ穴開け装置。
【手続補正２】
【補正対象書類名】明細書
【補正対象項目名】０００７
【補正方法】変更
【補正の内容】
【０００７】
上記課題を解決するために本発明のボトルキャップ穴開け装置は、
ボトルキャップの天板部を下にして載置する載置部を有する下側部材と、
前記載置部に設けられたダイ部と、
前記下側部材に案内されて下側部材に対して上下動する上側部材と、
この上側部材の内部に固定され、上側部材とともに上下動し、下動時に前記ダイ部を貫通するパンチ部と、
このパンチ部とともに上下動する前記上側部材において、平面視でパンチ部の回りに位置し、正面視でパンチ部下端よりも下方に位置してパンチ部先端の正面視での露出を防止する露出防止部と、
を備え、
前記下側部材は、周壁の一部にボトルキャップ出し入れ用の開口を有する筒状体であり、
前記上側部材は、前記下側部材に対して上下動可能に嵌まり合う下方が開放された筒状体であり、この筒状体の下部が前記露出防止部を形成していることを特徴とする。
【手続補正３】
【補正対象書類名】明細書
【補正対象項目名】０００９
【補正方法】変更
【補正の内容】
【０００９】
また、前記下側部材は、周壁の一部にボトルキャップ出し入れ用の開口を有する筒状体であり、
前記上側部材は、前記下側部材に対して上下動可能に嵌まり合う下方が開放された筒状体であり、この筒状体の下部が前記露出防止部を形成している構成となっているので、上側部材と下側部材との相対移動を簡易な構造で実現できると同時に、露出防止部を良好に構成することができる。